(57)【要約】【課題】機械的適強度を犠牲にし、防音、吸音、断熱，耐火などを目的とした壁へのアンカーボルトの植え込み構造を提供する。【解決手段】先端から必要な長さ軸方向に中心軸に対して直交する割り溝１２を入れ、後端から外周に必要な長さの雄ネジ１６を設けた中空ネジ棒１１の上記割り溝１２の先端に、上記割り溝１２に直行するピン孔１３を開け、このピン孔１３に挿し込まれたピン１４を軸にして自由端が広がる鏃１５を設けたアンカー１０を、壁Ｗに設けた有底穴Ｈに挿し込み、このアンカー１０の中空ネジ棒１１の中空孔１７から上記有底穴Ｈとアンカー１０との空隙に結合樹脂Ｕを注入固化してなる構成としたものである。【選択図】図１
2005248504.tif 000002
【特許請求の範囲】
【請求項１】
アンカーボルトの植え込み構造において、壁・パネルに設けた有底穴に、抜け止め構造を有する中空アンカーボルトを差し込み、上記アンカーボルトと有底穴との空隙に結合樹脂を注入固化してなることを特徴とするアンカーボルトの植え込み構造。
【請求項２】
上記抜け止め構造は、先端から必要な長さ軸方向に中心軸に対して直交する割り溝を入れ、後端から外周に必要な長さの雄ネジを設けた中空ネジ棒の上記割り溝の先端に、上記割り溝に直行するピン孔を開け、このピン孔に挿し込まれたピンを軸にして自由端が広がる鏃を設けたことを特徴とする請求項１に記載のアンカーボルトの植え込み構造。
【請求項３】
上記中空ネジ棒を、上記壁に設けた有底穴に挿入するとき、上記鏃は割り溝内に窄められ、窄められた鏃は中空孔の後端から楔棒が打ち込まれて開き、その先端が有底穴内面に食い込むように構成したことを特徴とする請求項１または２に記載のアンカーボルトの植え込み構造。
【請求項４】
上記鏃はスプリングにより開く方向に付勢されてなることを特徴とする請求項1または２に記載のアンカーボルトの植え込み構造。
【請求項５】
上記抜け止め構造は、中空アンカーボルトの先端に割り溝を入れ、この割り溝を入れた先端に、中心に雌ネジを設けたテーパーコーンを装入し、このテーパーコーンを、その雌ネジにネジ棒を螺合して上記割り溝を形成した中空アンカーボルトの先端に食い込ませ、食い込ませた後、上記ネジ軸を除去してなることを特徴とする請求項１に記載のアンカーボルトの植え込み構造。
【請求項６】
上記中空アンカーボルトに、外面から中空孔に向けて貫通孔を設けてなることを特徴とする請求項１または５に記載のアンカーボルトの植え込み構造。
【発明の詳細な説明】
【技術分野】
【０００１】
この発明は、壁またはパネル（以下、単に壁という）に看板・ポスター等を取り付けるためのアンカーボルトの植え込み構造、とりわけ柔らかい壁に看板・ポスター等を取り付けるためのアンカーボルトの植え込み構造に関する。
【背景技術】
【０００２】
アンカーボルトの先行技術として、特許文献１または特許文献２がある。
【０００３】
【特許文献１】特開２００２−３２７４３７号公報（要約および図面）
【特許文献２】実開平６−６９４１２号公報（要約および図面）
【発明の開示】
【発明が解決しようとする課題】
【０００４】
上記特許文献は、いずれもコンクリートや石材など堅牢な土木構築用壁面、床面にアンカーボルトを植え込む技術に関するものであって、ロックウールに結合剤および結合助剤などを混合したものを固化した壁（例えば特開平２０００−２６９６８１号公報に記載）や、ケイ酸カルシウムに種々の充填剤を混合して成形した壁材（例えば特開平７−２５７９５６号公報に記載）のように、機械的適強度を犠牲にし、防音、吸音、断熱，耐火などを目的とした壁へのアンカーボルトの植え込みにはとても適用できるものではなかった。
【０００５】
その理由は、上記壁は多孔質であり、ロックウールやシラス、場合によっては籾殻のようなものまで結合剤と混合し固化したものであるから、それ自体極めて強度が低く、アンカーボルトを植え込んだ部分をどれだけ強く固定したところで、植え込んだ周辺の壁ともにごっそり外れてしまう恐れがあるからである。
【０００６】
上記状況に鑑みこの発明は、上記のように機械的適強度を犠牲にし、防音、吸音、断熱、耐火などを目的とした壁へのアンカーボルトの植え込み構造を提供することを課題とする。
【課題を解決するための手段】
【０００７】
上記課題を解決するためにこの発明は、先端から必要な長さ軸方向に中心軸に対して直交する割り溝を入れ、後端から外周に必要な長さの雄ネジを設けた中空ネジ棒の上記割り溝の先端に、上記割り溝に直行するピン孔を開け、このピン孔に挿し込まれたピンを軸にして自由端が広がる鏃を設けたアンカーを、壁に設けた有底穴に挿しこみ、このアンカーの中空ネジ棒の中空孔から上記有底穴とアンカーとの空隙に結合樹脂を注入固化してなる構成としたものであり、上記中空ネジ棒を、上記壁に設けた有底穴に挿入するとき、上記鏃は割り溝内に窄められ、窄められた鏃は中空孔の後端から楔棒が打ち込まれて開き、その先端が有底穴の内面に食い込むように構成し、または、上記鏃はスプリングにより開く方向に付勢されるように構成し、さらに、中空ネジ棒の先端に設けた割り溝に、中心に雌ネジを設けたテーパーコーンを押しあてネジ棒を螺合することにより上記割り溝が開いて、その先端が有底穴の内面に食い込むようにすることもできる。
【発明の効果】
【０００８】
上記の如く構成するこの発明によれば、壁に設けた有底穴に、先端に鏃を設けた中空ネジ棒を差し込み、上記鏃を広げて上記有底穴の内面に食い込ませ、中空ネジ棒と有底穴との隙間全体に結合樹脂を注入することにより部分的にアンカーボルトが固定されるのではなく、有底穴全体でアンカーボルトが保持する状態になって全体としてアンカーボルトの保持力が大きくなり、鏃の先端が有底穴の内面に食い込むことにより中空ネジ棒は空回りすることがない。
また、上記のように中空ネジ棒と有底穴との隙間全体に結合樹脂を注入することにより、有底穴内面周囲の多孔質部分に結合樹脂が浸透固化して、その部分の強度が高まり、アンカーボルトの保持力を一層大きくする効果が発揮される。
【発明を実施するための最良の形態】
【０００９】
〔実施例１〕
次にこの発明の実施例１を、図１乃至図３を参照しながら説明する。機械的強度を犠牲にした防音、吸音、断熱、耐火などを目的とした壁Ｗに、公知の方法により有底穴Ｈが掘られ、この有底穴Ｈにはアンカー１０が挿入される。
【００１０】
上記アンカー１０は、中空ネジ棒１１の先端から中程まで中心軸に対して直交する方向に割り溝１２が設けられ、この割り溝１２の先端に割り溝に対して直行するようにピン孔１３が設けられ、このピン孔１３に嵌入されたピン１４を軸にして自由端が開閉可能にした鏃１５が取り付けられ、中空ネジ棒１１の後端には雄ネジ１６が設けられている。
【００１１】
有底穴Ｈに挿入されたアンカー１０の後端から中空孔１７に楔棒１８が打ち込まれて鏃１５が開き、その先端は有底穴Ｈの内面に食い込み、空回りせず、通常の状態では抜け落ちないようになる。
【００１２】
上記状態、即ち、壁Ｗにアンカー１０を挿入し楔棒１８を打ち込んで鏃１５を広げた状態で、中空ネジ棒１１の後端に結合樹脂注入ガンＧのノズルＮを差し込み、結合樹脂Ｕを、中空孔１７を経てアンカー１０と有底穴Ｈとの空隙に注入する。ここで使用した結合樹脂Ｕは、二液反応硬化形でウレタン樹脂に金属粉粒体を混練したウレタンメタリック樹脂組成物、例えば日本ヒルティー（HILTI）株式会社製の商品名：ＨＩＴ−ＨＹ２０である。
【００１３】
上記の如くアンカー１０を壁Ｗに植え込んだ後は、中空ネジ棒１１に看板１９、ポスターなどに設けた孔を嵌めワッシャー２０を介してナット２１で看板１９を取り付け固定する。また、図示しないが上記鏃は、ピン１４の部分にトーションスプリングを入れて絶えず開く方向に付勢する構造とするならば、アンカー１０を挿し込むときはそのままでよく、嵌め殺し構造とすることができる。
【００１４】
ここで上記実施例では、結合樹脂Ｕとして上記ウレタンメタリック樹脂組成物を用いたが、これに限るものではなく、アンカー１０を植え込む壁Ｗの状態と、植え込まれたアンカー１０に求められる強度によって一般に市販されている時効硬化形の樹脂（例えばウレタン樹脂、エポキシ樹脂など）中から適宜選択することができる。
【００１５】
特に壁Ｗの強度が低いときは、注入する樹脂が有底穴Ｈの内面から若干浸透固化する程度にして、有底穴Ｈの周辺を補強できるような樹脂を選択すると効果的である。また、この場合有底穴Ｈの開口部と中空ネジ棒１１との間に環状栓（図示せず）を押入して、結合樹脂注入ガンＧの注入圧が逃げないようにすると有底穴Ｈの内面から樹脂がよく浸透して効果的である。
【００１６】
〔実施例２〕
次に実施例２について図４を参照しながら説明する。先端に割り溝１２が設けられ、その後端に雄ネジ１６が設けられて中空ネジ棒１１となり、中空ネジ棒１１の中間には、中空孔１７から外面に向かって小孔２２が穿設されている。
【００１７】
中空ネジ棒１１の先端（割り溝１２を設けた部分）には中心に雌ネジ２３を設けたテーパーコーン２４が宛がわれ、この雌ネジ２３にＬ形ネジ棒２５が螺合し、この状態で有底穴Ｈ内に装填される。
【００１８】
装填されると、Ｌ形ネジ棒２５をテーパーコーン２４の雌ネジ２３にねじ込むとＬ形ネジ棒２５の鍔２６が中空ネジ棒１１の後端に当接して上記テーパーコーン２４が引き寄せられ中空ネジ棒１１の先端、割り溝１２を形成した部分が広がって、その先端１２ｔが有底穴Ｈの内面に食い込む。
【００１９】
この状態になると、Ｌ形ネジ棒２５を逆に回して中空ネジ棒１１から取り除き、前述のように中空孔１７に結合樹脂注入ガンＧのノズルＮを差し込み有底穴Ｈと中空ネジ棒１１との空隙に結合樹脂Ｕを注入してこの実施例に係るアンカーボルトの埋め込みは完了する。
【産業上の利用可能性】
【００２０】
以上説明した通りこの発明によれば、機械的適強度を犠牲にした防音、吸音、断熱、耐火壁に看板等を取り付ける際、壁の強度を補強し安全な状態で取り付けることができ、この技術分野での利用価値は極めて大きいものである。
【図面の簡単な説明】
【００２１】
【図１】本発明に係るアンカーボルトの埋め込み構造の断面図
【図２】（ａ）アンカーを挿入し鏃を広げる前の断面図、（ｂ）同鏃を広げた状態の断面図
【図３】アンカーと有底穴との間隙に結合樹脂を注入する説明図
【図４】（ａ）挿入前のアンカーの正面図、（ｂ）アンカーを有底穴に挿入し先端を広げた状態の断面図
【符号の説明】
【００２２】
１０  アンカー
１１  中空ネジ棒
１２  割り溝
１３  ピン孔
１４  ピン
１５  鏃
１６  雄ネジ
１７  中空孔
１８  楔棒
１９  看板
２０  ワッシャー
２１  ナット
２２  小孔
２３  雌ネジ（テーパーコーンの）
２４  テーパーコーン
２５  Ｌ形ネジ棒
２６  鍔（Ｌ形ネジ棒の）
Ｇ  結合樹脂注入ガン
Ｈ  有底穴
Ｎ  ノズル
Ｕ  結合樹脂
Ｗ  壁
【図１】
2005248504.tif 000003
【図２】
2005248504.tif 000004
【図３】
2005248504.tif 000005
【図４】
2005248504.tif 000006